(57)【要約】【課題】省エネルギー化に対応した空気調和装置・換気装置連動システムを提供する。【解決手段】本発明に係る空気調和装置・換気装置連動システムは、空気調和装置１０と換気装置５０と運転制御装置９０とを備える。運転制御装置９０は、空気調和装置１０が冷房運転時に、室温Ｔｒが空気調和装置１０の設定温度Ｔｓよりも高く、且つ室温Ｔｒと設定温度Ｔｓとの差が所定値ＰＶ以下のとき、空気調和装置１０の運転を停止し、換気装置５０のみを稼動させる。【選択図】図１
2010117084.tif 000002
【特許請求の範囲】
【請求項１】
室内の空気調和を行う空気調和装置（１０）と、
外気（ＯＡ）と室内空気（ＩＡ）との換気を行う換気装置（５０）と、
前記空気調和装置が冷房運転で稼動中に、室温（Ｔｒ）が操作者が設定する設定温度（Ｔｓ）及び外気温（Ｔｏ）より高く、且つ室温と設定温度との差が所定値（ＰＶ）以下のとき、前記空気調和装置を停止し、前記換気装置のみ稼動させる運転制御装置（９０）と、
を備える、空気調和装置・換気装置連動システム（１）。
【請求項２】
室温が設定温度及び外気温より高く、且つ室温と設定温度との差が前記所定値より大きいとき、前記運転制御装置は、前記空気調和装置を冷房運転で稼動させ、前記換気装置も同時に稼動させる、
請求項１に記載の空気調和装置・換気装置連動システム（１）。
【請求項３】
前記換気装置は、熱交換を伴う熱交換換気モードと、熱交換を伴わず単に換気のみを行う非熱交換換気モードとの２つの換気モードで稼動し、
前記運転制御装置は、室温が、設定温度及び外気温よりも高い場合は、前記換気装置を非熱交換換気モードで稼動させ、それ以外の場合は、前記換気装置を熱交換換気モードで稼動させる、
請求項１に記載の空気調和装置・換気装置連動システム（１）。
【請求項４】
前記運転制御装置は、
設定温度を管理し、設定温度を修正した第２設定温度（Ｔａ）を設定管理する設定温度管理制御部（９１３）を有し、
第２設定温度に基づいて、前記空気調和装置の冷房運転を稼動する、
請求項１に記載の空気調和装置・換気装置連動システム（１）。
【請求項５】
前記設定温度管理制御部は、外気温と室温と設定温度とが所定の条件を満たすとき、設定温度に前記所定値を加算することで第２設定温度を設定する、
請求項４に記載の空気調和装置・換気装置連動システム（１）。
【請求項６】
前記運転制御装置は、外気温と前記所定値とを関連づける所定値関連テーブル（ＰＶＴ）を保持する所定値決定部（９１５）をさらに有し、
前記所定値決定部は、外気温を前記所定値関連テーブルに照合して前記所定値を決定する、
請求項５に記載の空気調和装置・換気装置連動システム（１）。
【請求項７】
前記運転制御装置は、前記空気調和装置及び前記換気装置の運転制御において一定のヒステリシスを持たせた、
請求項１に記載の空気調和装置・換気装置連動システム（１）。
【請求項８】
室内の空気調和を行う空気調和装置（１０）と、
外気（ＯＡ）と室内空気（ＩＡ）との換気を行う換気装置（５０）と、
前記空気調和装置が暖房運転で稼動中に、室温（Ｔｒ）が操作者が設定する設定温度（Ｔｓ）及び外気温（Ｔｏ）より低く、且つ室温と設定温度との差が所定値（ＰＶ）以下のとき、前記空気調和装置を停止し、前記換気装置のみ稼動させる運転制御装置（９０）と、
を備える、空気調和装置・換気装置連動システム（２）。
【発明の詳細な説明】
【技術分野】
【０００１】
本発明は、空気調和装置・換気装置連動システムに関する。
【背景技術】
【０００２】
従来より、次に示すような空気調和装置と換気装置との連動システムが導入されている。このシステムでは、例えば空気調和装置が冷房運転で稼動している場合、室温が空気調和装置の設定温度よりも高く、かつ外気温が室温よりも低いときには、空気調和装置を冷房運転で稼動させながら、換気装置を非熱交換換気モードで稼動させる。ここで、非熱交換換気モードとは、熱交換を伴わない換気モードである。一方、室温が空気調和装置の設定温度よりも高く、外気温が室温よりも高いときには、空気調和装置を冷房運転で稼動させながら、換気装置を熱交換換気モードで稼動させる（例えば、特許文献１参照）。
【特許文献１】特開平４−２８１１４３号公報
【発明の開示】
【発明が解決しようとする課題】
【０００３】
近年、省エネルギー化の促進が要望されているが、従来のシステムでは、換気装置による外気の導入のみで居室内を冷房できる場合であっても、空気調和装置を稼動させる。このため、省エネルギー化という観点から課題を抱えている。本発明の課題は、省エネルギー化に対応した空気調和装置・換気装置連動システムを提供することにある。
【課題を解決するための手段】
【０００４】
第１発明に係る空気調和装置・換気装置連動システムは、空気調和装置、換気装置、及び運転制御装置を備える。空気調和装置は、室内の空気調和を行う。換気装置は外気と室内空気との換気を行う。運転制御装置は、室温が、操作者が設定する設定温度及び外気温よりも高く、且つ室温と設定温度との差が所定値以下のとき、空気調和装置を停止させ、換気装置のみを稼動させる。
【０００５】
この空気調和装置・換気装置連動システムでは、空気調和装置が冷房運転時、運転制御装置が、室温、操作者が設定する空気調和装置の設定温度、外気温、及び所定値に基づいて空気調和装置及び換気装置の制御を行う。室温が、設定温度及び外気温よりも高く、且つ室温と設定温度との差が所定値以下のとき、換気装置のみを稼動させ、空気調和装置を停止させる。このため、室温が設定温度よりも高くなった際に、常に空気調和装置を冷房運転で稼動させる場合と比較して、消費電力を節約できる。よって省エネルギー化が期待できる。
【０００６】
なお、第１発明に係る運転制御装置は、空気調和装置及び換気装置と独立した構成要素であるが、他の形態、例えば、空気調和装置の室内ユニットや換気装置等の内部に設けられたものであってもよい。また、複数台の空気調和装置や換気装置があってもよい。
【０００７】
第２発明に係る空気調和装置・換気装置は、第１発明に係る空気調和装置・換気装置連動システムであって、室温が設定温度及び外気温よりも高く、且つ室温と設定温度との差が所定値より大きいとき、運転制御装置は、空気調和装置を稼動させ、さらに換気装置も同時に稼動させる。
【０００８】
この空気調和装置・換気装置連動システムでは、室温と設定温度との差が所定値より大きい場合、空気調和装置の冷房運転と換気装置とを同時に稼動させる。換気装置が稼動していて、低温の外気が導入されるため、空気調和装置のみを冷房運転で稼動させる場合と比較して、消費電力の節約による省エネルギー化が期待できる。さらに、空気調和装置の冷房運転による冷房効果を増強し、室内の冷房をより速やかに行うことができるため、快適度の向上も期待できる。
【０００９】
第３発明に係る空気調和装置・換気装置連動システムは、第１発明に係る空気調和装置・換気装置連動システムであって、換気装置は、熱交換換気モードと、非熱交換換気モードとの２つの換気モードで稼動する。熱交換換気モードとは、外気と室内空気との間で熱交換を行う換気モードである。また、非熱交換換気モードとは、外気と室内空気との間で熱交換を伴わず、単に換気のみを行う換気モードである。
【００１０】
この空気調和装置・換気装置連動システムでは、運転制御装置は、室温が、設定温度及び外気温よりも高いという条件を満たす場合、換気装置を非熱交換換気モードで稼動させる。一方、室温が、設定温度及び外気温よりも高いという条件を満たさない場合、換気装置を熱交換換気モードで稼動させる。このため、電力を消費して冷却した室内空気からのエネルギー回収という観点から、省エネルギー化が期待できる。
【００１１】
第４発明に係る空気調和装置・換気装置連動システムは、第１発明に係る空気調和装置・換気装置連動システムであって、運転制御装置は、設定温度管理制御部を有する。設定温度管理制御部は、空気調和装置の設定温度を管理し、さらにその設定温度を修正して第２設定温度として管理する。空気調和装置は、この第２設定温度に基づいて、冷房運転を稼動する。
【００１２】
この空気調和装置・換気装置連動システムでは、運転制御装置は、空気調和装置の設定温度を管理し、さらにその設定温度を修正して第２設定温度として管理する設定温度管理制御部を有する。空気調和装置はこの第２設定温度に基づいて、冷房運転を稼動する。このため、第２設定温度を適切に設定することによって、空気調和装置の消費電力を節約でき、省エネルギー化が期待できる。
【００１３】
第５発明に係る空気調和装置・換気装置連動システムは、第４発明に係る空気調和装置・換気装置連動システムであって、設定温度管理制御部は、外気温と室温と設定温度とが所定の条件を満たすかどうかを判定する。所定の条件を満たす場合、設定温度に所定値を加算し、第２設定温度とする。
【００１４】
この空気調和装置・換気装置連動システムでは、設定温度管理制御部は、外気温と室温と設定温度とが所定の条件を満たすかどうか判定する。所定の条件を満たす場合、設定温度に所定値を加算し、第２設定温度とする。第２設定温度は、所定値が加算された分だけ設定温度よりも高くなる。空気調和装置はこの第２設定温度に基づいて冷房運転を稼動する。このため、消費電力を節約でき、省エネルギー化が期待できる。
【００１５】
第６発明に係る空気調和装置・換気装置連動システムは、第５発明に係る空気調和装置・換気装置連動システムであって、運転制御装置は、所定値決定部をさらに有する。所定値決定部は、外気温と所定値とを関連づける所定値関連テーブルを保持し、外気温を所定値関連テーブルに照合して所定値を決定する。
【００１６】
この空気調和装置・換気装置連動システムでは、運転制御装置が所定値決定部をさらに有する。この所定値決定部は、外気温と所定値とを関連づける所定値関連テーブルを保持している。所定値関連テーブルは、外気温と所定値とを関連づけたテーブルである。所定値決定部は、外気温をこの所定値関連テーブルに照合することで所定値を決定する。運転制御装置は、所定値決定部が決定した所定値を使用して第２設定温度を設定する。第２設定温度は、所定値が加算された分だけ設定温度よりも高くなる。空気調和装置はこの第２設定温度に基づいて冷房運転を稼動する。このため、消費電力を節約でき、省エネルギー化が期待できる。
【００１７】
第７発明に係る空気調和装置・換気装置連動システムは、第１発明に係る空気調和装置・換気装置連動システムであって、運転制御装置は、空気調和装置及び換気装置の運転制御において、所定のヒステリシスを持つ。
【００１８】
この空気調和装置・換気装置連動システムでは、空気調和装置及び換気装置の運転制御において、例えば運転切り換え動作の基準となる温度に、所定の温度範囲のヒステリシスを持たせてある（例えば、基準となる温度±１℃）。これにより、運転モードが必要以上に細かく切り換わることを抑制することができる。室温の細かな変動等があった場合、それに応じて運転モードが細かく切り換わったのでは、場合によっては快適性が損なわれる可能性があるが、運転モードの切り換え動作の基準となる温度に所定のヒステリシスを持たせることでこれを抑制できる。このため、省エネルギーの効果に加えて、居室内の快適性の向上も期待できる。
【００１９】
第８発明に係る空気調和装置・換気装置連動システムは、空気調和装置、換気装置、及び運転制御装置を備える。空気調和装置は、室内の空気調和を行う。換気装置は外気と室内空気との換気を行う。運転制御装置は、室温が、操作者が設定する設定温度及び外気温よりも高く、且つ室温と設定温度との差が所定値以下のとき、空気調和装置を停止させ、換気装置のみを稼動させる。外気温、室温、設定温度、及び所定値に基づいて、空気調和装置及び換気装置の運転制御を行う。
【００２０】
この空気調和装置・換気装置連動システムでは、空気調和装置が暖房運転時、運転制御装置が、室温、操作者が設定する空気調和装置の設置温度、外気温、及び所定値に基づいて空気調和装置及び換気装置の制御を行う。室温が、設定温度及び外気温よりも低く、且つ室温と設定温度との差が所定値以下のとき、換気装置のみを稼動させ、空気調和装置を停止させる。このため、室温が設定温度よりも低くなった際に、常に空気調和装置を暖房運転で稼動させる場合と比較して、消費電力を節約できる。よって省エネルギー化が期待できる。
【００２１】
なお、第８発明に係る運転制御装置は、空気調和装置及び換気装置と独立した構成要素であるが、他の形態、例えば、空気調和装置の室内ユニットや換気装置等の内部に設けられたものであってもよい。
【発明の効果】
【００２２】
第１発明に係る空気調和装置・換気装置連動システムでは、空気調和装置が冷房運転で稼動中、室温が設定温度よりも高く、且つ室温が外気温よりも高いとき、室温と設定温度との差が所定値以下ならば、空気調和装置を停止し、換気装置のみを稼動させる。このため、室温が設定温度よりも高くなったとき、常に空気調和装置を冷房運転で稼動させる場合と比較して、消費電力を節約でき、省エネルギー化が期待できる。
【００２３】
第２発明に係る空気調和装置・換気装置連動システムでは、室温が設定温度及び外気温よりも高く、且つ室温と設定温度との差が所定値よりも大きいとき、運転制御装置は空気調和装置を冷房運転で稼動させるとともに換気装置も同時に稼動させる。空気調和装置のみを冷房運転で稼動させる場合と比較して、より速やかに室内の冷房を行うことができるとともに、消費電力を節約でき、省エネルギー化が期待できる。
【００２４】
第３発明に係る空気調和装置・換気装置連動システムでは、換気装置は、熱交換換気モードと、非熱交換換気モードとの２つの換気モードで稼動する。運転制御装置は、室温が、設定温度及び外気温よりも高いという条件を満たす場合、換気装置を非熱交換換気モードで稼動させる。一方、室温が、設定温度及び外気温よりも高いという条件を満たさない場合、換気装置を熱交換換気モードで稼動させる。このため、電力を消費して冷却した室内空気からのエネルギー回収という観点から、省エネルギー化が期待できる。
【００２５】
第４発明に係る空気調和装置・換気装置連動システムでは、運転制御装置の設定温度管理制御部は、取得した空気調和装置の設定温度を修正して第２設定温度とし、第２設定温度に基づいて空気調和装置の冷房運転を稼動する。第２設定温度を適切に設定することによって、空気調和装置の消費電力を節約でき、省エネルギー化が期待できる。
【００２６】
第５発明に係る空気調和装置・換気装置連動システムでは、運転制御装置の設定温度管理制御部は、外気温と室温と設定温度とが、所定の条件を満たす場合、設定温度に所定値を加算し、第２設定温度とする。よって、第２設定温度は、所定値が加算された分だけ設定温度よりも高くなる。空気調和装置はこの第２設定温度に基づいて冷房運転を稼動する。このため、消費電力を節約でき、省エネルギー化が期待できる。
【００２７】
第６発明に係る空気調和装置・換気装置連動システムでは、運転制御装置の所定値決定部が、外気温を所定値関連テーブルに照合することで、所定値を決定する。設定温度管理制御部は、設定温度に、この所定値を加算して第２設定温度とする。よって、第２設定温度は、所定値が加算された分だけ設定温度よりも高くなる。空気調和装置はこの第２設定温度に基づいて冷房運転を稼動する。このため、消費電力を節約でき、省エネルギー化が期待できる。
【００２８】
第７発明に係る空気調和装置・換気装置連動システムでは、運転制御装置は、空気調和装置及び換気装置の運転制御において、所定のヒステリシスを持ち、運転が必要以上に細かく切り換わることが抑制される。このため、消費電力節約、省エネルギーの効果に加えて、空気調和装置や換気装置の運転モードが必要以上に細かく切り換わることが抑制されることで、居室内の快適性の向上も期待できる。
【００２９】
第８発明に係る空気調和装置・換気装置連動システムでは、空気調和装置が暖房運転で稼動中、室温が設定温度よりも低く、且つ室温が外気温よりも低いとき、室温と設定温度との差が所定値以下ならば、空気調和装置を停止し、換気装置のみを稼動させる。このため、室温が設定温度よりも低くなったとき、常に空気調和装置を暖房運転で稼動させる場合と比較して、消費電力を節約でき、省エネルギー化が期待できる。
【発明を実施するための最良の形態】
【００３０】
ここでは、図１から図９までの図面を参照しながら本発明の実施形態に係る空気調和装置・換気装置連動システムについて説明する。
【００３１】
この空気調和装置・換気装置連動システムは、図１に示されるように、主に、空気調和装置１０、換気装置５０、運転制御装置９０、各種センサから構成される。換気装置５０は屋外側給気管７２１及び屋外側排気管７２４を介して室外に開口している。また、換気装置５０は、屋内側給気管７２２及び屋内側排気管７２３を介して居室内に開口している。運転制御装置９０は、換気装置５０の制御ユニット５９と、空気調和装置１０の室内制御ユニット１８と、室外制御ユニット１９とに通信接続されている。空気調和装置１０は、主に、空気調和される居室の天井裏に埋設される室内ユニット１１と、室外に設置される室外ユニット１２とから構成される。また、空気調和装置１０内には、室温センサ１８ａ、外気温センサ１９ａ等の各種センサが設けられている。
【００３２】
以下、これらの各部分の構成及び動作等について、図面も参照しながら詳述する。
【００３３】
〔空気調和装置・換気装置連動システムの構成〕
（１）空気調和装置
本実施形態に係る空気調和装置１０は、主に、室内ユニット１１、室外ユニット１２から構成される。室内ユニット１１と室外ユニット１２とは、冷媒連絡配管（図示せず）によって配管接続されている。
【００３４】
（１−１）  室内ユニット
室内ユニット１１の内部には、室内制御ユニット１８が内蔵されている。この室内制御ユニット１８には、電装品として、制御基板等（図示せず）が収容されている。なお、この制御基板は、室内ユニット１１に配置される室内ファン（図示せず）、室温センサ１８ａ等に通信接続されており、それらから送信されてくる信号に基づいて室内ファン（図示せず）の回転数、運転モードの切り換え等を行う。また、この制御基板は、運転制御装置９０とも通信接続されており、室内ユニット１１の各種データ（例えば、空気調和装置１０の運転モードや設定温度Ｔｓ等）を運転制御装置９０から受信する。なお、設定温度Ｔｓ等に関する説明は、運転制御装置９０の説明の際に詳述する。
【００３５】
室外ユニット１２は、冷媒が流れる冷媒連絡配管（図示せず）を介して、室内ユニット１１と配管接続される。室外ユニット１２内には、外気温センサ１９ａ等の各種センサが設けられている。また、室外ユニット１２内には、室外制御ユニット１９が設けられている。室外制御ユニット１９は、室内制御ユニット１８と通信接続されている。室外制御ユニット１９内には、室外ファン（図示せず）の回転数を制御したり、外気温センサ１９ａからの情報を運転制御装置９０に送信したりする機能を有する、制御基板（図示せず）が組み込まれている。外気温センサ１９ａは、室外制御ユニット１９と通信接続されている。また室外制御ユニット１９は運転制御装置９０と通信接続されている。
【００３６】
（２）換気装置
本実施形態に係る換気装置５０は、居室の外壁を貫通して設けられる屋外側排気管７２４、及び屋外側給気管７２１が配管接続されている。屋外側排気管７２４及び屋外側給気管７２１が外壁を貫通して形成された開口をそれぞれ排気口７２４ａ及び給気口７２１ａという。また、換気装置５０には、屋内側給気管７２２及び屋内側排気管７２３が配管接続されている。屋内側給気管７２２及び屋内側排気管７２３は居室内に開口している。
【００３７】
本実施形態に係る空気調和装置・換気装置連動システムにおいては、換気装置５０が熱交換機能を有しており、熱交換機能を担う熱交換エレメントとして、顕熱交換及び潜熱交換が可能ないわゆる全熱交換エレメントを採用している。以降、熱交換エレメント５２は全熱交換が可能な全熱交換エレメントを意味する。なおここで、顕熱とは具体的には温度を意味し、潜熱とは具体的には湿度を意味する。
【００３８】
（３）各種センサ（外気温センサ、室温センサ等）
外気温センサ１９ａは、室外ユニット１２内に配置されており、室内制御ユニット１８と通信接続されている。室温センサ１８ａは室内ユニット１１内に配置されており、室外制御ユニット１９と通信接続されている。また、室内制御ユニット１８、及び室外制御ユニット１９は運転制御装置９０と通信接続されている。このため、外気温センサ１９ａ、及び室温センサ１８ａはそれぞれ、室内制御ユニット１８、及び室外制御ユニット１９を介して運転制御装置９０に通信接続されていることになる。
【００３９】
（４）運転制御装置
本実施形態に係る運転制御装置９０は、室内制御ユニット１８、室外制御ユニット１９、換気装置の制御ユニット５９等と通信接続されている。
【００４０】
運転制御装置９０は、図３に示すように、主に、中央処理部９１、ＲＡＭ９２，ＲＯＭ９３，Ｉ／Ｏ制御部９４から構成される。ここで、中央処理部９１、ＲＡＭ９２，ＲＯＭ９３、Ｉ／Ｏ制御部９４、及び設定温度管理制御部９１３は、例えば、マイクロコンピュータであって、相互に通信接続されており、１つの集積回路を構成している。
【００４１】
中央処理部９１は、主に、制御部９１１、設定温度管理制御部９１３及び演算部９１２から構成されている。制御部９１１及び設定温度管理制御部９１３は、図４に示されるように、ＲＯＭ９３に記憶されている制御プログラムを読み込み、読み込んだ制御プログラムに従って演算部９１２、ＲＡＭ９２，及びＩ／Ｏ制御部９４に動作を指示する。主に、制御部９１１は換気装置５０の制御やその他の制御を行い、設定温度管理制御部９１３は、空気調和装置１０の設定温度Ｔｓの管理、及び設定温度Ｔｓを修正して設定される第２設定温度Ｔａの設定管理を行う。ここで、設定温度Ｔｓとは、居室内の温度つまり室温Ｔｒを、所望の温度に維持するように空気調和装置１０の運転を制御するための基準となる温度である。本実施形態に係る空気調和装置・換気装置連動システムにおいては、運転制御装置９０が、この設定温度Ｔｓを管理するとともに、後述する所定の方法によって設定温度Ｔｓを修正し、第２設定温度Ｔａとして管理する。運転制御装置９０は、設定温度Ｔｓと第２設定温度Ｔａとに基づいて、空気調和装置１０、及び換気装置５０を制御する。
【００４２】
演算部９１２は、図４に示されるように、制御部９１１、設定温度管理制御部９１３の命令に従って、制御部９１１、設置温度管理制御部９１３、ＲＡＭ９２，及びＲＯＭ９３から必要なデータを取得して演算処理（算術演算処理や論理演算処理等）を行う。また、この演算部９１２は、制御部９１１、設定温度管理制御部９１３の命令に従って、演算処理の処理結果データを制御部９１１、設定温度管理制御部９１３に供給することができる。また、この演算部９１２は、制御部９１１、設定温度管理制御部９１３の命令に従って、演算処理の処理結果データをＲＡＭ９２に書き込むことができる。
【００４３】
ＲＡＭ９２は、図４に示されるように、制御部９１１、設定温度管理制御部９１３の指示に従って、各種データを制御部９１１に供給することができる。また、このＲＡＭ９２は、データをＩ／Ｏ制御部９４や入力部９５から取得して一時記憶したり、演算部９１２から送信されるデータを一時記憶したりする。また、このＲＡＭ９２は、制御部９１１、設定温度管理制御部９１３の命令に応じて一時記憶しているデータをＩ／Ｏ制御部９４に送信する。
【００４４】
ＲＯＭ９３は、制御プログラムや各種データを格納しており、図４に示されるように、それらを制御部９１１、設定温度管理制御部９１３に供給する。また、このＲＯＭ９３は、制御部９１１、設定温度管理制御部９１３の指示に従って、各種データを演算部９１２に供給することができる。なお、この制御プログラムにはタイマープログラムが含まれているため、中央処理部９１は一定の時間間隔で制御プログラムを実行することができる（本実施形態では、２分間隔で制御プログラムが実行される）。
【００４５】
Ｉ／Ｏ制御部９４は、室内制御ユニット１８、室外制御ユニット１９、換気装置５０の制御ユニット５９から、送信されてくる各種データをＲＡＭ９２に入力したり、ＲＡＭ９２に記憶されている各種データ等を、室内ユニット１１、室外ユニット１２、あるいは換気装置５０に出力したりする。
【００４６】
Ｉ／Ｏ制御部９４は、それぞれ、換気装置５０の制御ユニット５９、室内制御ユニット１８、室外制御ユニット１９から送信されてくる温度情報等の各種データ（アナログデータ）を受信し、それらのデータを中央処理部９１１が処理可能な形式（デジタルデータ）に変換する。
【００４７】
入力部９５は、操作者が、空気調和装置１０の設定温度Ｔｓの設定や各種運転モードの切り換え、換気装置５０の換気モードの切り換え等の操作を行ったり、空気調和装置１０や換気装置５０の運転状況等を表示するために設けられている。本実施形態では、入力部９５は、制御部９１１、設定温度管理制御部９１３、ＲＡＭ９２、及びＩ／Ｏ制御部等と通信接続されている。
【００４８】
〔空気調和装置・換気装置連動システムの動作〕
本実施形態に係る空気調和装置・換気装置連動システムでは、空気調和装置１０及び換気装置５０が、運転制御装置９０と通信接続されている。運転制御装置９０はこの通信接続を介して、空気調和装置１０及び換気装置５０を連動させて制御する。
【００４９】
室内空気ＩＡは、空気調和装置１０の稼動に伴って空気調和装置１０内に吸い込まれ、調和された後、室内に吹き出される。
【００５０】
運転制御装置９０は、空気調和装置１０の設定温度Ｔｓ、室温センサ１８ａにより検出された室温Ｔｒ，外気温センサ１９ａにより検出された外気温Ｔｏ、及び所定値ＰＶに基づき、空気調和装置１０と換気装置５０とを連動させて制御する。空気調和装置１０が冷房運転時に、室温Ｔｒが空気調和装置１０の設定温度Ｔｓ及び外気温Ｔｏよりも高く、且つ室温Ｔｒと設定温度Ｔｓとの差が所定値ＰＶ以下のとき、空気調和装置１０の運転を停止し、換気装置５０のみを稼動させて換気を行い、室温Ｔｒよりも低温の外気を導入することで居室内を冷房する。一方、室温Ｔｒと設定温度Ｔｓとの差が所定値ＰＶよりも大きいときには、空気調和装置１０を冷房運転で稼動させ、換気装置５０も同時に稼動させて、室温Ｔｒよりも低温の外気を導入する。
【００５１】
以下、本実施形態に係る空気調和装置・換気装置連動システムを構成する各部分の動作について、図面も参照しながら詳述する。
【００５２】
（１）空気調和装置の動作
空気調和装置１０の運転動作について、図１を用いて説明する。空気調和装置１０の運転を開始すると、室内ユニット内の室内熱交換器（図示せず）内には、室外ユニット１２から冷媒が供給される。ここで、室内熱交換器（図示せず）は、冷房運転時には蒸発器として、暖房運転時には凝縮器として機能する。そして、室内空気ＩＡが空気調和装置１０内に吸入される（Ａ２）。この吸入された室内空気ＩＡは、室内熱交換器（図示せず）において冷却又は加熱された後、室内に向かって吹き出される（Ａ１）。このようにして、室内の冷房又は暖房が行われる。
【００５３】
（２）換気装置の動作
本実施形態に係る換気装置５０は、熱交換エレメント５２を有し、熱交換を伴う熱交換換気モードと、熱交換を伴わず単に換気のみを行う非熱交換換気モードとの２つの換気モードで稼動する。本実施形態では、熱交換エレメント５２として、顕熱交換（顕熱とは具体的には温度を意味する）及び潜熱交換（潜熱とは具体的には湿度を意味する）が可能な、全熱交換エレメントを採用しており、全熱交換換気が可能である。以下、本実施形態に係る換気装置５０の熱交換換気モード及び非熱交換換気モードについて、図１及び図２に従って説明する。
【００５４】
（２−１）  熱交換換気モード
この換気装置５０では、熱交換エレメント５２を用いた熱交換換気が行われる場合、ダンパ７４によって開口６０が開放される。一方、開口６３は閉鎖される。この状態で各ファン５５，５６が運転されると、屋内側排気ＲＡが屋内側排気管７２３を介して屋内側吸込口６５から換気装置５０内に吸い込まれる。吸い込まれた屋内側排気ＲＡは、熱交換エレメント５２を通過して、屋外側給気（外気ＯＡ）との間で熱交換後、屋外側吹出口６６から吹き出される。そして、屋外側排気管７２４を介して、屋外側排気ＥＡとして屋外に排出される。それと同時に、屋外側給気（外気ＯＡ）が、屋外側給気管７２１を介して、屋外側吸込口６８から換気装置５０内に吸い込まれる。吸い込まれた屋外側給気（外気ＯＡ）は、熱交換エレメント５２を通過して、屋外側排気ＥＡとの間で熱交換後、屋内側吹出口６７から吹き出される。そして、屋内側給気管７２２を介して、室内に屋内側給気ＳＡが供給される。
【００５５】
（２−２）  非熱交換換気モード
この換気装置５０では、熱交換エレメント５２を用いた非熱交換換気が行われる場合、ダンパ７４によって開口６３が開放される。一方、開口６０は閉鎖される。この状態で各ファン５５，５６が運転されると、屋内側排気ＲＡが屋内側排気管７２３を介して、屋内側吸込口６５から換気装置５０内に吸い込まれる。吸い込まれた屋内側排気ＲＡは、非熱交換換気モードの場合、熱交換エレメント５２を通過せずに屋外側吹出口６６から吹き出される。そして、屋外側排気管７２４を介して、屋外側排気ＥＡとして屋外に排出される。それと同時に、屋外側給気（外気ＯＡ）が屋外側給気管７２１を介して、屋外側吸込口６８から換気装置５０内に吸い込まれる。吸い込まれた屋外側給気（外気ＯＡ）は、熱交換エレメント５２を通過して屋内側吹出口６７から吹き出される。そして、屋内側給気管７２２を介して、室内に屋内側給気ＳＡが供給される（給気の流れは熱交換換気モード時と同じである）。
【００５６】
（３）運転制御装置の動作
ここでは、図５及び図６に示されるフローチャートに従って、運転制御装置９０による設定温度Ｔｓの管理及び制御、換気装置５０の換気モード切り換え制御の処理の流れについて説明する。図５は運転制御装置９０による設定温度Ｔｓ変更処理の流れを表すフローチャートである。図６は、換気装置５０の換気モード切り換え制御の流れを表すフローチャートである。
【００５７】
（３−１）  空気調和装置の設定温度変更処理の流れ
以下の設定温度変更処理は、制御プログラムに含まれるタイマープログラムにより、本実施形態においては、２分毎に繰り返し実行される。なお、この時間間隔は変更することが可能である。
【００５８】
ステップＳＴ１では、Ｉ／Ｏ制御部９４が、設定温度管理制御部９１３の指示に従って、入力部９５で入力された設定温度Ｔｓを取得し、ＲＡＭ９２に書き込む。また、室内制御ユニット１８と室外制御ユニット１９からそれぞれ、室温Ｔｒと外気温Ｔｏとを取得し、ＲＡＭ９２に書き込む。
【００５９】
ステップＳＴ２では、演算部９１２が、設定温度管理制御部９１３の指示に従って、ＲＡＭ９２から室温Ｔｒ及び設定温度Ｔｓを取得し、室温Ｔｒが設定温度Ｔｓよりも高いか、あるいは室温Ｔｒが設定温度Ｔｓ以下かを判定する。ステップＳＴ２の演算部９１２の判定の結果、室温Ｔｒが設定温度Ｔｓよりも高い場合は、ステップＳＴ３に移る。ステップＳＴ２の演算部９１２の判定の結果、室温Ｔｒが設定温度Ｔｓ以下の場合は、ステップＳＴ４に移る。
【００６０】
ステップＳＴ３では、演算部９１２が、設定温度管理制御部９１３の指示に従って、ＲＡＭ９２から室温Ｔｒ及び外気温Ｔｏを取得し、室温Ｔｒが外気温Ｔｏよりも高いか、あるいは室温Ｔｒが外気温Ｔｏ以下かを判定する。ステップＳＴ３の演算部９１２の判定の結果、室温Ｔｒが外気温Ｔｏよりも高い場合は、ステップＳＴ５に移る。ステップＳＴ３の演算部９１２の判定の結果、室温Ｔｒが外気温Ｔｏ以下の場合は、ステップＳＴ７に移る。
【００６１】
ステップＳＴ４では、演算部９１２が、設定温度管理制御部９１３の指示に従って、ＲＡＭ９２から設定温度Ｔｓ及び外気温Ｔｏを取得し、設定温度Ｔｓが外気温Ｔｏよりも高いか、あるいは設定温度Ｔｓが外気温Ｔｏ以下かを判定する。ステップＳＴ４の演算部９１２の判定の結果、設定温度Ｔｒが外気温Ｔｏよりも高い場合は、ステップＳＴ６に移る。ステップＳＴ４の演算部９１２の判定の結果、設定温度Ｔｓが外気温Ｔｏ以下の場合は、ステップＳＴ７に移る。
【００６２】
ステップＳＴ５では、演算部９１２が、設定温度管理制御部９１３の指示に従って、ＲＡＭ９２から室温Ｔｒ、設定温度Ｔｓ、及び所定値ＰＶを取得し、以下の関係式を満たすかどうかを判定する。
Ｔｏ  −  Ｔｓ  ＜  ＰＶ  ・・・  関係式
ステップＳＴ５の演算部９１２の判定の結果、関係式を満たす場合は、ステップＳＴ６に移る。ステップＳＴ５の演算部９１２の判定の結果、関係式を満たさない場合は、ステップＳＴ７に移る。
【００６３】
ステップＳＴ６では、演算部９１２が、設定温度管理制御部９１３の指示に従って、ＲＡＭ９２から設定温度Ｔｓ及び所定値ＰＶを取得し、それらを加算した結果を第２設定温度ＴａとしてＲＡＭ９２に書き込む。
【００６４】
ステップＳＴ７では、演算部９１２が、設定温度管理制御部９１３の指示に従って、ＲＡＭ９２から設定温度Ｔｓを取得し、その値を第２設定温度ＴａとしてＲＡＭ９２に書き込む。
【００６５】
ステップＳＴ８では、演算部９１２がステップＳＴ６またはステップＳＴ７においてＲＡＭ９２に書き込まれて設定された第２設定温度Ｔａを、Ｉ／Ｏ制御部９４が、設定温度管理制御部９１３の指示に従って、空気調和装置１０を稼動させるための制御信号とともに、空気調和装置１０の室内ユニット１１に送信する。
【００６６】
（３−２）  換気装置の換気モード切り換えにおける制御の流れ
以下の制御は、制御プログラムに含まれるタイマープログラムにより、一定の時間間隔で実行される。本実施形態においては、２分毎に制御プログラムが繰り返し実行される。なお、この時間間隔は変更することが可能である。
【００６７】
ステップＳＴ２１では、Ｉ／Ｏ制御部９４が、制御部９１１の指示に従って、入力部９５で入力された設定温度Ｔｓを取得し、ＲＡＭ９２に書き込む。また、室外制御ユニット１８と室外制御ユニット１９からそれぞれ、室温Ｔｒと外気温Ｔｏとを取得し、ＲＡＭ９２に書き込む。
【００６８】
ステップＳＴ２２では、演算部９１２が、制御部９１１の指示に従って、ＲＡＭ９２から室温Ｔｒ及び設定温度Ｔｓを取得し、室温Ｔｒが設定温度Ｔｓよりも高いか、あるいは室温Ｔｒが設定温度Ｔｓ以下かを判定する。ステップＳＴ２２の演算部９１２の判定の結果、室温Ｔｒが設定温度Ｔｓよりも高い場合は、ステップＳＴ２３に移る。ステップＳＴ２２の演算部９１２の判定の結果、室温Ｔｒが設定温度Ｔｓ以下の場合は、ステップＳＴ２４に移る。
【００６９】
ステップＳＴ２３では、演算部９１２が、制御部９１１の指示に従って、ＲＡＭ９２から室温Ｔｒ及び外気温Ｔｏを取得し、室温Ｔｒが外気温Ｔｏよりも高いか、あるいは室温Ｔｒが外気温Ｔｏ以下かを判定する。ステップＳＴ２３の演算部９１２の判定の結果、室温Ｔｒが外気温Ｔｏよりも高い場合は、ステップＳＴ２５に移る。ステップＳＴ２３の演算部９１２の判定の結果、室温Ｔｒが外気温Ｔｏ以下の場合は、ステップＳＴ２４に移る。
【００７０】
ステップＳＴ２４では、制御部９１１が、換気装置５０の換気モードを熱交換換気モードにするための制御信号を生成し、その制御情報を、演算部９１２を介して、ＲＡＭ９２に書き込む。
【００７１】
ステップＳＴ２５では、制御部９１１が、換気装置５０の換気モードを非熱交換換気モードにするための制御信号を生成し、その制御情報を、演算部９１２を介して、ＲＡＭ９２に書き込む。
【００７２】
ステップＳＴ２６では、Ｉ／Ｏ制御部９４が、制御部９１１の指示に従って、ステップＳＴ２４、ＳＴ２５において制御部９１１がＲＡＭ９２に書き込んだ、換気装置５０の換気モードの制御情報を、換気装置５０を稼動するための信号とともに、換気装置５０に対して送信する。
【００７３】
以上の各ステップＳＴ２１〜ＳＴ２６を実行することにより、運転制御装置９０は換気装置５０を制御する。空気調和装置１０が冷房運転時、室温Ｔｒが設定温度Ｔｓ及び外気温Ｔｏよりも高いという条件を満たすときには、換気装置５０が非熱交換換気モードで稼動する。一方、室温Ｔｒが設定温度Ｔｓ及び外気温Ｔｏよりも高いという条件を満たさないときには、換気装置５０が熱交換換気モードで稼動することになる。
【００７４】
〔空気調和装置・換気装置連動システムの特徴〕
（１）
本実施形態に係る空気調和装置・換気装置連動システムは、運転制御装置９０が、空気調和装置１０と換気装置５０とを連動させて制御するものである。本実施形態に係る空気調和装置・換気装置連動システムにおける、運転制御装置９０は、空気調和装置１０の設定温度Ｔｓを管理するとともに、室温Ｔｒが設定温度Ｔｓ及び外気温Ｔｏよりも高く、且つ、外気温Ｔｏと室温Ｔｓとの差が所定値ＰＶよりも小さいとき、運転制御装置９０の設定温度管理制御部９１３が、設定温度Ｔｓに所定値ＰＶを加算して修正し、第２設定温度Ｔａとする。そして、運転制御装置９０が、設定温度Ｔｓ及び第２設定温度Ｔａを管理し、この設定温度Ｔｓと第２設定温度Ｔａとに基づいて、空気調和装置１０及び換気装置５０を連動させて制御するのが、本実施形態に係る空気調和装置・換気装置連動システムの特徴である。例えば、室温Ｔｒが設定温度Ｔｓ及び外気温Ｔｏよりも高く、且つ外気温Ｔｏと室温Ｔｒとの差が所定値ＰＶよりも小さいとき、第２設定温度Ｔａが設定温度Ｔｓに所定値ＰＶを加えた値に設定されているため、室温Ｔｒと設定温度Ｔｓとの差が所定値ＰＶ以下のときには、室温Ｔｒが、運転制御装置９０の設定温度管理制御部９１３が設定した第２設定温度Ｔａ以下となる。このため、空気調和装置１０は停止する。そして運転制御装置９０によって換気装置５０のみが稼動される。この結果、室温Ｔｒよりも低温の外気ＯＡの導入によって、室内が冷房される。上記の条件が満たされる間、空気調和装置１０は運転を停止しているため、消費電力を節約できる。
【００７５】
一方、室温Ｔｒが設定温度Ｔｓ及び外気温Ｔｏよりも高く、且つ室温Ｔｒと設定温度Ｔｓとの差が所定値ＰＶより大きいときには、室温Ｔｒが、運転制御装置９０の設定温度管理制御部９１３が設定した第２設定温度Ｔａよりも高くなる。このため、空気調和装置１０が冷房運転で稼動する。つまり、空気調和装置１０と換気装置５０とが同時に稼動される。室温Ｔｒよりも低温の外気ＯＡの導入による冷房効果により、空気調和装置１０のみを稼動させて室内を冷房する場合と比較して、消費電力を節約できる。また冷房の効率も向上し、より速やかに室内を冷房できることが考えられる。
【００７６】
外気温Ｔｏが室温Ｔｒよりも十分低く、外気の導入のみで冷房効果が得られる場合であっても、空気調和装置１０を稼動させる従来の空気調和装置・換気装置連動システムと比較して、本実施形態に係る空気調和装置・換気装置連動システムでは、省エネルギー化が期待できる。
【００７７】
（２）
本実施形態に係る空気調和装置・換気装置連動システムでは、換気装置５０が、全熱交換、つまり顕熱交換及び潜熱交換が可能な熱交換エレメントを有しており、全熱交換換気が可能である。顕熱とは、具体的には温度を意味し、潜熱とは、具体的には湿度を意味する。夏季や中間期においては、一般に室外は高温であり、且つ湿度が高く、顕熱及び潜熱が過剰である。一方、空気調和装置１０によって空気調和された室内は室外と比較して低温であり、且つ湿度が低い。夏季や中間期に高温の室内を冷却するためには、電力を消費して空気調和装置１０を稼動させなければならない。従って、すでに調和された室内空気ＩＡと、給気である外気ＯＡとの間で顕熱及び潜熱の交換を行えば、室内空気ＩＡを冷却するために消費した電力をある程度回収することができる。このように、本実施形態に係る空気調和装置・換気装置連動システムは、電力を消費して冷却した室内空気ＩＡからのエネルギー回収という観点からも、省エネルギー化が期待できる。
【００７８】
〔変形例〕
以上、本発明の一実施形態について説明したが、本発明は本実施形態に限定されるものではなく、発明の要旨を逸脱しない範囲で種々の変更が可能である。
【００７９】
（Ａ）
本実施形態に係る空気調和装置・換気装置連動システムは、それぞれ１台ずつの空気調和装置１０、全熱交換機能を有する換気装置５０、及び運転制御装置９０を備える、空気調和装置・換気装置連動システムである。そして、運転制御装置９０は、空気調和装置１０及び換気装置５０とは独立し、それらの運転制御を実行するものである。しかし、本発明はこれに限定されるものではなく、例えば、空気調和装置１０や換気装置５０が複数台備えられていてもよい。また、空気調和装置１０と換気装置５０との台数は一致していなくてもよい。例えば、事務所等の１区画に空気調和装置１０や換気装置５０を複数台有するシステムにも適用可能である。なお、この場合、複数台の空気調和装置１０の設定温度Ｔｓや運転モード等を一括して管理制御する一括コントローラが必要となる。
【００８０】
（Ｂ）
本実施形態に係る空気調和装置・換気装置連動システムでは、操作者が、運転制御装置９０の入力部９５を通して直接、空気調和装置１０の設定温度Ｔｓの設定や、運転モードの切り換え等を行うが、操作者が、例えば、リモコン等を使用して空気調和装置１０の設定温度Ｔｓの設定や、運転モードの切り換え等を行うようにしてもよい。
【００８１】
（Ｃ）
本実施形態に係る空気調和装置・換気装置連動システムでは、顕熱交換及び潜熱交換の機能を持つ、全熱交換型の熱交換エレメント５２を有する換気装置５０を採用した。しかし、熱交換エレメント５２は、潜熱交換の機能を持たず、顕熱交換の機能のみを持つ顕熱交換型の熱交換エレメントであってもよい。この場合、顕熱交換型の熱交換エレメントでは、給気（外気ＯＡ）と排気（室内空気ＲＡ）との間で顕熱のみが交換される。
【００８２】
（Ｄ）
本実施形態に係る空気調和装置・換気装置連動システムでは、第２設定温度Ｔａを設定する際に使用する所定値ＰＶの値は固定されたものであったが、この所定値ＰＶを、固定されたものでなく、例えば外気温Ｔｏに応じてその値が定まるようにしてもよい。例えば、予め外気温Ｔｏと所定値ＰＶとが関連付けられたテーブル（以下、所定値関連テーブルＰＶＴという）を保持しておき、外気温Ｔｏを所定値関連テーブルＰＶＴに照合して、所定値ＰＶを決定するようにしてもよい。
【００８３】
図７は本変形例Ｄに係る空気調和装置・換気装置連動システムにおける運転制御装置９０のブロック図で、外気温Ｔｏに応じて所定値ＰＶを決定する所定値決定部９１５をさらに有する。所定値決定部９１５は、電気的に内容を書き換え可能な記憶装置の一種である、ＥＥＰＲＯＭ９８を有している。このＥＥＰＲＯＭ９８に、外気温Ｔｏと所定値ＰＶとを関連付ける所定値関連テーブルＰＶＴ、及び所定値ＰＶが保持されている。所定値関連テーブルＰＶＴは、図８に示されるように、各行の１列目、２列目、３列目がそれぞれインデックス、外気温Ｔｏの温度範囲を表す条件式、所定値ＰＶの項目からなる。なお、最終行の１行前までの条件式が満たされなかった場合は、必ず最終行の条件式が満たされるようにする。ここでは、簡略化のため、この所定値関連テーブルＰＶＴのインデックス、外気温Ｔｏの温度範囲を表す条件式、所定値ＰＶの各項目をそれぞれ１列目、２列目、３列目と表す。図９は、所定値決定の処理の流れを示すフローチャートである。以下、図９等を参照しながら本発明の変形例Ｄに係る空気調和装置・換気装置連動システムについて説明する。
【００８４】
ステップＳＴ３１では、演算部９１２が、制御部９１２の指示に従って、カウンタＣｎｔを０で初期化する（カウンタＣｎｔの初期化）。なお、このカウンタＣｎｔは、所定値関連テーブルＰＶＴから、１行ずつ読み込むための繰り返し処理に使用する。
【００８５】
ステップＳＴ３２では、演算部９１２が、制御部９１１の指示に従って、所定値関連テーブルＰＶＴをＥＥＰＲＯＭ９８から読み込み、ＲＡＭ９２に書き込む。
【００８６】
ステップＳＴ３３では、Ｉ／Ｏ制御部９４が、制御部９１１の指示に従って、外気温Ｔｏを取得し、ＲＡＭ９２に書き込む。
【００８７】
ステップＳＴ３４では、演算部９１２が、制御部９１１の指示に従って、カウンタＣｎｔの値を「１」だけ増加させる。
【００８８】
ステップＳＴ３５では、演算部９１２が、制御部９１１の指示に従って、ステップＳＴ３２でＲＡＭ９２に書き込んだ所定値関連テーブルＰＶＴから、カウンタＣｎｔの番号に相当するインデックスを持つ行、ＰＶＴ（Ｃｎｔ）を読み込んでその２列目の条件式を抽出し、ＲＡＭ９２に書き込み、ステップＳＴ３６に移動する。
【００８９】
ステップＳＴ３６では、演算部９１２が、制御部９１１の指示に従って、ステップＳＴ３３で取得した外気温Ｔｏが、ステップＳＴ３５で抽出した条件式を満たすかどうかを判定する。条件式を満たす場合はステップＳＴ３７へ移動し、満たさない場合はステップＳＴ３４に戻って、同じ手順を繰り返す。なお、最終行の１行前までは条件式が満たされなかった場合、最終行の条件式は必ず満たされるため、ステップＳＴ３７に移行する。
【００９０】
ステップＳＴ３７では、演算部９１２が、制御部９１１の指示に従って、カウンタＣｎｔに書き込まれているインデックスに相当する行の３列目の値を、ＥＥＰＲＯＭ９８に保存されている所定値ＰＶに書き込んで（上書きして）所定値ＰＶを決定し、ステップＳＴ３８に移動する。
【００９１】
ステップＳＴ３８では、演算部９１２が、制御部９１１の指示に従って、カウンタＣｎｔを再び０で初期化し、所定値決定処理を終了する。
【００９２】
（Ｅ）
変形例Ｄの説明において引用した、図８の所定値関連テーブルＰＶＴは一つの例であって、状況に応じて適切な内容を保持したテーブルを採用することができる。また、変形例Ｄに係る所定値関連テーブルＰＶＴは、固定されたテーブルであったが、必ずしも固定されたものでなくてもよく、例えば、テーブルを生成する機構を設け、空気調和装置１０の設置場所の外気温Ｔｏ、居住者の快適性等に基づいて、自動的に生成されるようにしてもよい。
【００９３】
（Ｆ）
本実施形態に係る空気調和装置・換気装置連動システムでは、運転制御装置９０は、空気調和装置１０及び換気装置５０の運転制御において、外気温Ｔｏと室温Ｔｒと設定温度Ｔｓとの間の関係に基づいて運転制御を行っていたが、運転切り換えのタイミングとなるこの外気温Ｔｏと室温Ｔｒと設定温度Ｔｓとに、一定の温度差、例えば±１℃のヒステリシスを持たせるようにしてもよい。
【００９４】
本変形例Ｆに係る空気調和装置・換気装置連動システムでは、空気調和装置１０及び換気装置５０の運転切り換えの動作において、運転切り換え動作の基準となる温度に、所定の温度範囲のヒステリシスを持たせてある（例えば基準となる温度±１℃）。例えば室温Ｔｒの細かな変動等があった場合、それに応じて運転モードが細かく切り換わったのでは、場合によっては快適性が損なわれる可能性がある。運転モードが切り換わる温度に所定のヒステリシスを持たせることで、運転モードが必要以上に細かく切り換わることを抑制することができる。例として第５発明に係る空気調和装置・換気装置連動システムにおいて、室温Ｔｒが設定温度Ｔｓ及び外気温Ｔｏより高く、且つ室温Ｔｒと設定温度Ｔｓとの差が所定値ＰＶより大きい場合を考える。この場合、第２設定温度Ｔａが室温Ｔｒよりも低いため、空気調和装置１０が冷房運転で稼動する。その後、空気調和装置１０の冷房効果により、室温Ｔｒが第２設定温度Ｔａ以下になったとする。つまり、空気調和装置１０の設定温度Ｔｓに所定値ＰＶを加算した温度まで低下した場合である。この時点の室温Ｔｒでは、まだ冷房運転を停止させないでおく。もしここで再び室温Ｔｒが上昇した場合は、空気調和装置１０は冷房運転で稼動したままである。そして、室温Ｔｒがさらに１℃下がった時点で空気調和装置１０の冷房運転を停止させる。
【００９５】
このように、運転モードの切り換え動作の基準となる温度に、所定のヒステリシスを持たせることで、例えば、室温等の細かな変動により、必要以上に運転が細かく切り換わることを抑制し、居室内の快適性の向上が期待できる。なお、このヒステリシスの幅は、常に固定されたものであってもよいし、例えば空気調和装置１０の設置場所の外気温Ｔｏ、外気温Ｔｏの変動の状況、居住者の快適性等に応じてその値を変更できるようにしてもよい。
【００９６】
（Ｇ）
本実施形態に係る空気調和装置・換気装置連動システムでは、空気調和装置１０の室内ユニット１１はいわゆる天井埋設型の室内ユニットであったが、室内ユニット１１は、天井吊下型の室内ユニット、壁掛け型の室内ユニット等であってもよい。
【００９７】
（Ｈ）
本実施形態に係る空気調和装置・換気装置連動システムでは、換気装置５０の運転モードの切り換え制御を、室温Ｔｒと設定温度Ｔｓと外気温Ｔｏとの間の関係を判定条件としていたが、これ以外に、例えば、室温Ｔｒよりも一定温度低い温度Ｔｒｌと設定温度Ｔｓと外気温Ｔｏとの間の関係を判定条件としてもよい。
【００９８】
（Ｉ）
本実施形態に係る空気調和装置・換気装置連動システムでは、空気調和装置１０と換気装置５０とは配管接続されずに独立しているが、必ずしも独立していなくてもよい。
【００９９】
例えば、屋内側給気ＳＡが、空気調和装置１０の室内ユニット１１を介して居室内に供給され、屋内側排気ＲＡは、空気調和装置１０の室内ユニット１１を介さずに、直接、換気装置５０に取り込まれ、屋外側排気管７２４、排気口７２４ａを通じて屋外側排気ＥＡとして屋外に排出されるようにしてもよい。
【０１００】
または、空気調和装置と換気装置とが配管接続され、屋内側給気ＳＡと屋内側排気ＲＡとがともに空気調和装置１０の室内ユニット１１を介するようにしてもよい。
【産業上の利用可能性】
【０１０１】
本発明に係る空気調和装置・換気装置連動システムは、換気装置による外気の導入を利用することで、空気調和装置の省エネルギー化が期待でき、ビルや家屋の空気調和、換気に有効である。
【図面の簡単な説明】
【０１０２】
【図１】実施形態に係る空気調和装置・換気装置連動システムのシステム構成図
【図２】実施形態に係る換気装置の側面図
【図３】実施形態に係る運転制御装置の構成図
【図４】実施形態に係る運転制御装置の制御信号及びデータの流れを示す図
【図５】実施形態に係る運転制御装置における設定温度変更処理の流れを示すフローチャート
【図６】実施形態に係る運転制御装置における換気モード切り換え処理の流れを示すフローチャート
【図７】実施形態の変形例（Ｄ）に係る運転制御装置の構成図
【図８】実施形態の変形例（Ｄ）に係る運転制御装置の所定値関連テーブルの例を示す図
【図９】実施形態の変形例（Ｄ）に係る運転制御装置における所定値決定処理の流れを示すフローチャート
【符号の説明】
【０１０３】
１０  空気調和装置
５０  換気装置
９０  運転制御装置
９１３  設定温度管理制御部
９１５  所定値決定部
ＯＡ  外気
ＩＡ  室内空気
Ｔｒ  室内温度
Ｔｓ  設定温度
Ｔｏ  外気温
Ｔａ  第２設定温度
ＰＶ  所定値
ＰＶＴ  所定値関連テーブル
【図１】
2010117084.tif 000003
【図２】
2010117084.tif 000004
【図３】
2010117084.tif 000005
【図４】
2010117084.tif 000006
【図５】
2010117084.tif 000007
【図６】
2010117084.tif 000008
【図７】
2010117084.tif 000009
【図８】
2010117084.tif 000010
【図９】
2010117084.tif 000011